(57)【要約】  検出プレートは、溝が設けられている底面を有するトラック領域と、トラック領域と離間して配置された底面を有するウェルとを備える。トラック領域の底面とウェルの底面は実質的に同一平面上に配置されている。この検出プレートは、簡素な構成で、迅速にかつ高精度に被検体を検出できる。
2015029375.tif 000002
【特許請求の範囲】
【請求項１】
基板と、
前記基板に設けられた検出領域と、
を備え、
前記検出領域は、
トラック溝が設けられている第１の底面を有するトラック領域と、
前記トラック領域と離間して配置された、第２の底面を有するウェルと、
を有し、
前記第１の底面と前記第２の底面が実質的に同一平面上に配置された、検出プレート。
【請求項２】
前記検出プレートは走査方向に走査される光を照射して使用するように構成されており、
前記トラック領域と前記ウェルは前記走査方向に沿って配置される、請求項１に記載の検出プレート。
【請求項３】
前記トラック領域と前記ウェルとの間に設けられた突起部をさらに備えた、請求項１に記載の検出プレート。
【請求項４】
前記トラック領域と前記ウェルと前記突起部が一体成型で形成されている、請求項３に記載の検出プレート。
【請求項５】
前記検出プレートは光を照射して使用するように構成されており、
前記第１の底面と前記第２の底面とのオフセット量は、前記光のスポット径ｗ０と、前記光の波長λと、前記光の前記スポット径の許容値ｗ（ｚ）により下記の式で表されるオフセット許容量Δｚ：
Δｚ＝｛（ｗ（ｚ）／ｗ０）２−１｝×π×ｗ０２／λ
以下である、請求項１に記載の検出プレート。
【請求項６】
前記ウェルは複数のウェルを含む、請求項１に記載の検出プレート。
【請求項７】
前記複数のウェルを連結する流路をさらに備え、
前記第２の底面は前記流路の底面より低い、請求項６に記載の検出プレート。
【請求項８】
前記検出プレートは走査方向に走査される光を照射して使用するように構成されており、
前記トラック領域は複数のトラック領域を含み、
前記ウェルは複数のウェルを含み、
前記複数のトラック領域のぞれぞれと前記複数のウェルのそれぞれは複数の検出領域をそれぞれ構成し、
前記複数の検出領域は前記走査方向に沿って配置されている、請求項１に記載の検出プレート。
【請求項９】
前記ウェルを覆うカバー層をさらに備えた、請求項１に記載の検出プレート。
【請求項１０】
前記ウェルは略円形状を有する、請求項１に記載の検出プレート。
【請求項１１】
前記第２の底面には溝が設けられている、請求項１に記載の検出プレート。
【請求項１２】
前記検出プレートは円盤形状を有する、請求項１に記載の検出プレート。
【請求項１３】
前記トラック溝は、螺旋形状または同心円形状の溝の少なくとも一部である、請求項１２に記載の検出プレート。
【発明の詳細な説明】
【技術分野】
【０００１】
本発明は、細胞等の被検体を検出する光学検出装置に用いられる検出プレートに関する。
【背景技術】
【０００２】
多数の細胞を含む試料中から、特定のたんぱく質や病原体を有する細胞等の被検体を検出することは、特に、臨床現場等の医療分野において重要である。このような細胞を検出する方法として、蛍光検出装置を用いた方法が知られている。【０００３】
図１０は、蛍光検出装置に用いられる従来の検出プレート１００の断面図である。検出プレート１００は、トラック溝１０１を有する基板１０２と、基板１０２上に配置された反射層１０３と、反射層１０３上に配置された活性層１０４と、活性層１０４上に設けられた流路１０５、及び、標的領域（捕捉領域）１０６とを有している。【０００４】
試料は、特定物質に特異的に結合する蛍光色素で予め染色され、検出プレート１００に導入され、流路１０５内を移動する。試料中の細胞は、標的領域１０６において捕捉される。蛍光励起光はトラック溝１０１で反射され、反射した光の状態に基づいて蛍光励起光のフォーカスおよびトラック位置が制御される。染色された細胞は蛍光励起光により蛍光を発する。その蛍光を検出して得られた蛍光検出信号の強度により、特定物質の存在が判別される。【０００５】
検出プレート１００では、被検体の蛍光励起および検出の際にそれぞれ異なる光スポットを照射する必要がある。【０００６】
検出プレート１００に類似の従来の検出プレートは、例えば、特許文献１や特許文献２に記載されている。
【先行技術文献】
【特許文献】
【０００７】
【特許文献１】国際公開第０３／０６４９９８号
【特許文献２】特開２００４−９３４１５号公報
【発明の概要】
【０００８】
検出プレートは、溝が設けられている底面を有するトラック領域と、トラック領域と離間して配置された底面を有するウェルとを備える。トラック領域の底面とウェルの底面は実質的に同一平面上に配置されている。
【０００９】
この検出プレートは、簡素な構成で、迅速にかつ高精度に被検体を検出できる。
【図面の簡単な説明】
【００１０】
【図１】図１は実施の形態における検出プレートの上面図である。
【図２】図２は実施の形態における検出プレートの検出領域の上面図である。
【図３】図３は図２に示す検出領域の線ＩＩＩ−ＩＩＩにおける断面図である。
【図４】図４は実施の形態における他の検出プレートの上面図である。
【図５Ａ】図５Ａは実施の形態におけるさらに他の検出領域の上面図である。
【図５Ｂ】図５Ｂは実施の形態におけるさらに他の検出領域の上面図である。
【図６】図６は図２に示す検出プレートの線ＶＩ−ＶＩにおける断面図である。
【図７】図７は実施の形態におけるさらに他の検出プレートの上面図である。
【図８Ａ】図８Ａは図２に示す検出領域の線ＶＩＩＩ−ＶＩＩＩにおける断面図である。
【図８Ｂ】図８Ｂは図２に示す検出領域の線ＶＩＩＩ−ＶＩＩＩにおける断面図である。
【図８Ｃ】図８Ｃは図２に示す検出領域の線ＶＩＩＩ−ＶＩＩＩにおける断面図である。
【図９Ａ】図９Ａは実施の形態における検出プレートの製造方法を示す断面図である。
【図９Ｂ】図９Ｂは実施の形態における検出プレートの製造方法を示す断面図である。
【図９Ｃ】図９Ｃは実施の形態における検出プレートの製造方法を示す断面図である。
【図９Ｄ】図９Ｄは実施の形態における検出プレートの製造方法を示す断面図である。
【図９Ｅ】図９Ｅは実施の形態における検出プレートの製造方法を示す断面図である。
【図９Ｆ】図９Ｆは実施の形態における検出プレートの製造方法を示す断面図である。
【図９Ｇ】図９Ｇは実施の形態における検出プレートの製造方法を示す断面図である。
【図１０】図１０は従来の検出プレートの断面図である。
【発明を実施するための形態】
【００１１】
図１は実施の形態における検出プレート１０の上面図である。検出プレート１０は、互いに反対側の表面８Ａ、８Ｂを有する基板８と、基板８の表面８Ａに設けられた注入口１と、基板８の表面８Ａに検出領域２と、流路３とを備える。注入口１には被検体を含む試料が注入される。流路３は注入口１から検出領域２に試料を導入する。注入口１に注入された試料は流路３を通って検出領域２に導入される。試料に含まれる被検体は、検出領域２で検出される。
【００１２】
図２は検出プレート１０の検出領域２の上面図である。図３は図２に示す検出領域２の線ＩＩＩ−ＩＩＩにおける断面図である。検出領域２は、基板８の表面８Ａに設けられたトラック領域５と基板８の表面８Ａに設けられたウェル６を備える。トラック領域５とウェル６は、基板８の表面８Ａ、８Ｂのうちの一方の表面８Ａに設けられている。ウェル６は被検体５０２を含む試料５０１を収容するように構成されている。トラック領域５とウェル６とは互いに離間して配置される。トラック領域５は底面５Ａを有する。ウェル６は底面６Ａを有する。検出プレート１０では、底面５Ａ、６Ａが実質的に同一平面１０Ｐ上に配置されている。底面５Ａ、６Ａが実質的に同一平面１０Ｐ上に配置されるとは、単一波長の光学系で底面５Ａ、６Ａを同時に検出できることを意味する。この配置において、検出プレート１０に照射する光６０１のスポットが底面５Ａに合焦した状態において、底面６Ａにおけるその光６０１のスポット径が蛍光を検出する精度に必要な許容範囲に収まる。したがって、底面５Ａ、６Ａの配置は、使用する光の波長とスポット径によって変化する。底面６Ａにおける光６０１のスポット径が蛍光を検出する精度に必要な許容範囲に収まる条件下での底面５Ａ、６Ａの深さｄ５、ｄ６の差すなわち基板８の表面８Ａからの底面５Ａ、６Ａまでの距離の差を底面５Ａ、６Ａのオフセット許容量Δｚと定義する。具体的には、オフセット許容量Δｚは、照射する光６０１のスポット径ｗ０と、光６０１の波長λと、許容されるスポット径の許容値ｗ（ｚ）により以下の式で表される。
【００１３】
Δｚ＝｛（ｗ（ｚ）／ｗ０）２−１｝×π×ｗ０２／λ
実施の形態において、スポット径ｗ０は１μｍであり、スポット径の許容される許容値ｗ（ｚ）は１．１μｍであり、光６０１の波長λは４０５ｎｍである。したがって、上記の式により実施の形態でのオフセット許容量Δｚは３．５μｍである、すなわち、実施の形態において、実質的に同一平面１０Ｐ上に位置する底面５Ａ、６Ａの深さｄ５、ｄ６の差であるオフセット量は３．５μｍ以下である。
【００１４】
図１０に示す従来の検出プレート１００は、トラック溝１０１を有する面１０２Ａと、標的領域１０６の底面１０６Ａとがこれらの面に直角の方向で離間している。したがって、単一波長の光学系で、検出プレート１００内での励起光のトラッキング制御と、被検体の蛍光励起および検出を、光強度および照射スポット径を同程度に保ったまま行うことは困難であり、それぞれ異なる光スポットを照射する必要がある。
【００１５】
実施の形態における検出プレート１０では、底面５Ａ、６Ａが実質的に同一平面上に位置することで、底面５Ａ、６Ａにおける光６０１の強度とスポット径をそれぞれ一定の範囲に保ったまま、トラッキングの制御と被検体５０２の検出を単一波長の光学系で行うことができる。したがって、検出プレート１０を用いることにより単一波長の光学系で被検出体を迅速かつ高精度に検出することができる。
【００１６】
図１に示すように、検出プレート１０の基板８は、ＣＤやＤＶＤ等の光ディスクと同様に円盤形状を有し、その円盤形状の中心１０Ｃには円形状を有する孔４が設けられている。検出プレート１０が円盤形状を有することにより、既存の光ピックアップ装置を用いて、被検体の検出を行うことができる。
【００１７】
検出プレート１０では光が走査される走査方向に沿って、トラック領域５とウェル６とをそれぞれ有する複数の検出領域２が配置されている。複数の検出領域２にそれぞれつながる複数の注入口１は、検出プレート１０の円周方向１０Ａに配置されている。このように、検出プレート１０に複数の検出領域２を設けることにより、一度の検出動作で、複数の被検体を同時に検出することができる。光が走査される走査方向は、検出プレート１０の円周方向１０Ａである。
【００１８】
検出領域２の数は、特に限定されるものではない。検出領域２と注入口１は、それぞれ１つずつ配置されていてもよい。また、１つの注入口１から複数の検出領域２に接続されるように流路３が設けられていてもよい。注入口１が検出領域２上に設けられている場合には、検出プレート１０は流路３を備えていなくてもよい。
【００１９】
検出プレート１０は、注入口１から検出領域２までの間に、試料５０１と蛍光試薬を混合させる領域や、試料５０１を検出領域２に拡散させる領域を有していてもよい。
【００２０】
図２に示すトラック領域５とウェル６は、検出プレート１０の光の走査方向に沿って配置されている。この配置により、後述する使用方法により安定したトラッキング制御を可能とすると共に、トラック領域５で取得した位置情報をもとにウェル６を特定し、検出結果を効率よく取得することができる。
【００２１】
ウェル６は略円形状を有する。ウェル６を略円形状にすることにより、ウェル６内に被検体５０２を含む試料５０１を均一に満たすことができる。検出領域２内は少なくとも１つのウェル６が配置されていてもよい。しかし、検出プレート１０の互いに直角の半径方向１０Ｂと円周方向１０Ａに複数のウェル６が配置されていることで被検体５０２を検出する検出効率を向上させることができる。試料５０１中の被検体５０２はウェル６内に捕捉されて検出される。検出プレート１０の半径方向１０Ｂに配置された複数のウェル６は流路７で連結されている。複数のウェル６を流路７で連結することにより、注入口１から注入された試料５０１を、例えば遠心力等により、流路３、７を通って複数のウェル６内に効率よく導入することができる。
【００２２】
流路７は基板８の円盤形状の円周方向１０Ａに配置された複数のウェル６を互いに接続していてもよい。流路７は検出領域２に導入された試料５０１をウェル６内に無駄なく効率的に導入するために最適化されて配置されることが望ましい。
【００２３】
実施の形態において、トラック領域５の幅ｄ１は１５０μｍであり、ウェル６の直径ｄ２は１００μｍであり、流路７の幅ｄ３は２０μｍであり、半径方向１０Ｂ又は円周方向１０Ａに配置されたウェル６の間隔ｄ４は２００μｍである。ただし、各数値は、試料５０１の状態および被検体５０２の種別、流路７およびウェル６の親水性等の諸特性によって最適な数値に設定される。
【００２４】
それぞれの検出領域２内には必ずしも複数のウェル６が配置されていなくてもよく、それぞれの検出領域２に１つのみのウェル６が配置されていてもよい。
【００２５】
ウェル６の形状は略円形状に限られるものではない。ウェル６の形状は、ウェル６内に試料５０１を捕捉できる限り略多角形状や楕円状等の他の形状であってもよい。図４は実施の形態における他の検出領域２の上面図である。図４に示すように、ウェル６は検出プレート１０の半径方向１０Ｂに沿った形状を有していてもよい。この場合、半径方向１０Ｂに配置されるウェル６を接続する流路７は配置されていなくてもよい。なお、検出プレート１０は、基板８の円盤形状の内周と外周で長さが異なっているので、ウェル６は、その内周側の部分よりもその外周側の部分が大きい扇形状等の形状を有していてもよい。
【００２６】
図５Ａは実施の形態におけるさらに他の検出領域２の上面図である。検出領域２は複数のトラック領域５と複数のウェル６を有している。複数のウェル６は検出プレート１０の走査方向（円周方向１０Ａ）においてトラック領域５の間に配置されている。
【００２７】
図５Ｂは実施の形態におけるさらに他の検出領域２の上面図である。検出領域２は複数のトラック領域５と複数のウェル６を有している。図５Ｂに示す検出領域２では走査方向（円周方向１０Ａ）においてトラック領域５とウェル６は交互に配置されている。図５Ａと図５Ｂに示すように、ウェル６をトラック領域５で挟むように配置することで、後述する使用方法により、より安定してトラッキング制御を行うことができ、被検体の検出精度を向上させることができる。
【００２８】
図６は図２に示す検出プレート１０の線ＶＩ−ＶＩにおける断面図である。図２に示すように、トラック領域５の底面５Ａにトラック溝５０５が設けられている。図６に示すように、トラック溝５０５は底面５Ａを構成する複数のランド５０５Ａと、複数のランド５０５Ａ間に設けられたグルーブ５０５Ｂで形成されている。トラック溝５０５は、検出プレート１０全体にわたって中心１０Ｃを中心とする螺旋形状または同心円形状を有する。実施の形態におけるトラック溝５０５は不連続であるが、連続していてもよい。
【００２９】
トラック溝５０５が螺旋形状または同心円形状を有することにより、互いに隣りあうトラック領域５を順次周回して走査することが可能となり、ウェル６全面を抜けなく検査することができる。
【００３０】
実施の形態ではトラック溝５０５のピッチは１μｍであり、トラック溝５０５の深さは４０ｎｍである。
【００３１】
トラック領域５には、検出プレート１０の位置を特定するために、ピットやウォブルを用いてアドレス付けが施されていてもよい。
【００３２】
トラック領域５の底面５Ａには反射膜が形成されていてもよい。反射膜の励起光に対する反射率は例えば３〜４％に設定されている。反射膜により、トラッキング制御に必要な反射光量と、検出プレート１０を透過する励起光量の比率を任意に設定することができる。
【００３３】
ウェル６は、試料５０１中の被検体５０２を捕捉して検出する領域である。実施の形態においてウェル６の深さｄ６は１０〜５０μｍである。ウェル６の底面６Ａには、被検体５０２を検出するために必要な処理が施されていることが望ましい。例えば、ウェル６の底面６Ａには、ポリジメチルシロキサン（ＰＤＭＳ）等の樹脂からなる表面層が形成されていてもよい。この場合、表面層の表面と底面５Ａとのオフセットが３．５μｍ以内である。
【００３４】
実施の形態においてウェル６の底面６Ａには溝は設けてられていない。図７は実施の形態におけるさらに他の検出プレート１０の上面図である。図７において図１に示す検出プレート１０と同じ部分には同じ参照番号を付す。図７に示す検出プレート１０では、ウェル６の底面６Ａに溝５０６が設けられている。底面６Ａに設けられた溝５０６により、トラック領域５のトラッキング制御に加えて、ウェル６でも補助的にトラッキング制御もしくはトラッキング制御信号の検出を行うことができる。したがって、検出プレート１０の位置をより精度良く制御もしくは検出することができる。
【００３５】
なお、ウェル６の底面６Ａは、例えば、表面プラズモン効果に寄与する微細な尖鋭形状やメタマテリアル構造やフォトニック構造等の立体的な周期的構造、または、平面的な周期的構造を有していてもよい。底面６Ａをこのような形状にすることで、検出プレート１０は蛍光を効率良く検出することができる。
【００３６】
図３に示すように、トラック領域５とウェル６の間、および、複数のウェル６の間には、突起部１１が設けられている。このような構成とすることにより、ウェル６に導入された試料が、隣りあうウェル６やトラック領域５に意図せずに入るのを防止することができる。特に、トラック領域５に試料５０１が入るとトラッキング制御が不安定になり、精度良く被検体５０２検出することが困難になる。したがって、トラック領域５とウェル６との間に突起部１１を設けることで、高精度の検出を容易に行うことができる。
【００３７】
なお、突起部１１の高さは、検査対象とする被検体５０２の径よりも大きいことが好ましい。また、トラック溝５０５の深さは、被検体５０２の径よりも小さいことが好ましい。これにより、試料５０１がトラック領域５に漏れることなく、万が一漏れた場合でもトラック制御信号への影響を抑えることができる。
【００３８】
図３に示すように、検出プレート１０は、少なくとも基板８のウェル６上を覆うカバー層９を有する。検出プレート１０内の試料５０１は、検出時に遠心力等により周囲に飛散する恐れがある。試料５０１の飛散を抑制するために、少なくともウェル６上にカバー層９を形成することが望ましい。カバー層９には注入口１の上部に相当する領域に、注入用の貫通孔を設ける。
【００３９】
図８Ａと図８Ｂと図８Ｃは、図２に示す検出プレート１０の検出領域２の線ＶＩＩＩ−ＶＩＩＩにおける断面図であり、円周方向１０Ａの断面を示す。図８Ａと図８Ｂと図８Ｃは、トラック領域５と、複数のウェル６を連結する流路７とを示す。図８Ａと図８Ｂと図８Ｃに示す検出プレート１０は基板８の表面８Ａを覆うカバー層９をさらに備える。図８Ａに示す検出プレート１０では、流路７はカバー層９の基板８の表面８Ａに当接する表面９Ａに形成されている。図８Ｂに示す検出プレート１０では、流路７は基板８の表面８Ａに形成されている。図８Ｃに示す検出プレート１０では、流路７は基板８の表面８Ａとカバー層９の表面９Ａの両方に設けられている。このように、流路７は、検出プレート１０のカバー層９と基板８のどちらか一方、もしくは、両方に形成することができる。流路７はトラック領域５とウェル６の底面５Ａ、６Ａと同じ方向を向く底面７Ａを有する。ただし、ウェル６の底面６Ａは流路７の底面７Ａよりも低い位置に設けられていることが望ましい。
【００４０】
検出プレート１０は、試料５０１に含まれる被検体５０２をウェル６内で捕捉して検出する。したがって、ウェル６の底面６Ａを流路７の底面７Ａよりも低い位置に設けることにより、試料５０１に含まれる被検体５０２をウェル６でより確実に捕捉することができる。
【００４１】
次に、検出プレート１０の製造方法について説明する。図９Ａから図９Ｇは検出プレート１０の製造方法を示す断面図である。図９Ａと図９Ｂは検出プレート１０の半径方向１０Ｂでの断面を示し、図９Ｃから図９Ｇは検出プレート１０の円周方向１０Ａの断面を示す。
【００４２】
トラック領域５とウェル６と流路３、７と注入口１を一体成型して検出プレートを形成することが望ましい。以下、一体成型で検出プレート１０を製造する方法について説明する。
【００４３】
まず図９Ａに示すように、ＣＤやＤＶＤ等の光ディスクの原盤１２を用意する。図９Ｂに示すように、原盤１２を転写して、ディスク基板１３を作製する。ディスク基板１３の材料としては、ポリカーボネート、ポリメタクリル酸メチル、エポキシ樹脂、環状オレフィン樹脂、ポリ乳酸の樹脂等を用いることができる。
【００４４】
次に、作製したディスク基板１３に、図９Ｃに示すように、フォトレジスト支持層として適宜、アルミニウムや金などの金属膜１４を蒸着し、金属膜１４上にフォトレジスト１５を形成する。その後、図９Ｄに示すように、検出プレート１０の突起部１１や流路３、７等の部分にマスク１６を作製し、露光ののち現像を行う。さらに、図９Ｅに示すように、マスク１６を除去したディスクに電鋳により金属層１７Ａを堆積させる。その後、図９Ｆに示すように、ディスク基板１３とフォトレジスト１５を除去し、検出プレート１０の金属層１７Ａよりなる鋳型１７を作製する。
【００４５】
そして、図９Ｇに示すように、鋳型１７を検出プレート１０の材料に転写することで、検出プレート１０を製造できる。検出プレート１０の材料としては、ポリカーボネート、ポリメタクリル酸メチル、エポキシ樹脂、環状オレフィン樹脂、ポリ乳酸の樹脂等を用いることができる。
【００４６】
なお、上述したようにトラック溝５０５を配置した鋳型１７を作製して、転写する方法で検出プレート１０を製造しなくてもよい。例えば、樹脂でトラック領域５とウェル６を作製した検出プレート１０に対して、レーザ等を用いてトラック溝５０５を形成してもよい。また、トラック領域５とウェル６の作製には、２Ｐ成型技術を用いてもよく、３次元プリンタ等で積層生成しても良い。
【００４７】
このように、トラック領域５とウェル６を、連続した一つの面で構成することで、検出プレート１０を一体的に成型することができ、トラック領域５のトラック溝５０５とウェル６の位置精度を向上させることができる。トラック領域５のトラック溝５０５の位置精度が向上すると、蛍光位置の特定が容易となり緻密なマッピングが可能となるため、検出の精度を向上させることができる。また、検出プレート１０のトラック領域５とウェル６を含む基板８が一体成型により作製できるので、短時間で安価に検出プレート１０を製造することができる。
【００４８】
検出プレート１０は、トラック領域５とウェル６を一体で成型して製造することが望ましいが、トラック領域５の底面５Ａとウェル６の底面６Ａが実質的に同一平面１０Ｐ上に配置されていれば、製造方法は一体成型に限定されない。例えば、検出プレート１０は、トラック溝５０５が設けられた基板上に、ウェル６を形成するウェル層を配置して製造することもできる。ここで、ウェル層は、例えば、ポリカーボネート、ＰＤＭＳ等の樹脂からなる。
【００４９】
次に、検出プレート１０の使用方法について説明する。
【００５０】
蛍光標識された被検体５０２を含む試料５０１を検出プレート１０の注入口１から注入する。その後、検出プレート１０は検出装置１００１（図３）にセットされる。ここで、検出装置１００１は、ＣＤやＤＶＤ等の記録、再生に用いる既存の光ピックアップ装置と同様に、光源１００２と、光検出器１００３とを備える。検出装置１００１は中心１０Ｃを中心に検出プレート１０を回転させる。光源１００２は、回転する検出プレート１０の表面８Ａに対して垂直にレーザ光である励起光６０１を照射する。検出装置１００１は、トラック溝５０５の構造および検出プレート１０の回転方向に応じて、検出プレート１０上を内周側から外周側に向け、もしくは、外周側から内周側に向けて、励起光６０１のスポットを走査する。検出プレート１０に照射された光６０１の一部は反射されて反射光６０２として光検出器１００３に導かれる。検出装置１００１は、検出プレート１０のトラック領域５でフォーカス制御およびトラッキング制御を行い、ウェル６で試料５０１中の被検体５０２を検出するように制御される。検出装置１００１は、サンプルホールド機能を有する制御回路を備えている。例えば、検出プレート１０に照射された励起光６０１は、トラック領域５の底面５Ａで反射され、反射光６０２は光検出器１００３に導かれる。検出装置１００１は、底面５Ａで反射された反射光６０２を用いてトラッキング制御を行う。また、検出プレート１０に照射された励起光６０１により、ウェル６に収容された試料５０１に含まれる染色された被検体５０２から発せられた蛍光を光検出器１００３で検出することで、試料５０１中の被検体５０２を検出する。このように、検出プレート１０は、トラック領域５とウェル６を同一平面上に離間して配置することにより、単一波長の光学系で、安定したトラッキング制御と被検体５０２の検出を行うことができる。
【００５１】
なお、検出プレート１０は、内周部と外周部でそれぞれの周回長さに差が生じる。したがって、外周側に設けられるトラック領域５とウェル６を、内周側に設けられるトラック領域５とウェル６に対してずらして配置してもよい。
【００５２】
また、検出プレート１０は、検出プレート１０の一部に途切れのないトラック溝よりなる学習領域を有していてもよい。学習領域により検出装置は偏心量や面のブレる量を検出することができる。学習領域により検出装置は励起光で検出プレート１０上を安定して走査でき、被検体５０２の検出精度を向上させることができる。
【００５３】
また、検出プレート１０の内周側または外周側に連続した螺旋状の溝構造を設けることで、再生・記録により特定の検出プレート１０を識別するディスク情報を持たせることができる。
【００５４】
上述のように、検出プレート１０は、トラック溝５０５が設けられている底面５Ａを有するトラック領域５と、トラック領域５と離間して配置された底面６Ａを有するウェル６とを備える。底面５Ａ、６Ａが実質的に同一平面１０Ｐ上に配置されている。
【００５５】
検出プレート１０は走査方向（円周方向１０Ａ）に走査される光６０１を照射して使用するように構成されている。トラック領域５とウェル６は走査方向（円周方向１０Ａ）に沿って配置されていてもよい。
【００５６】
検出プレート１０はトラック領域５とウェル６との間に設けられた突起部１１をさらに備えてもよい。
【００５７】
トラック領域５とウェル６と突起部１１が一体成型で形成されていてもよい。
【００５８】
底面５Ａ、６Ａのオフセット量は、光６０１のスポット径ｗ０と、光６０１の波長λと、光６０１のスポット径の許容値ｗ（ｚ）により下記の式で表されるオフセット許容量Δｚ：
Δｚ＝｛（ｗ（ｚ）／ｗ０）２−１｝×π×ｗ０２／λ
以下であってもよい。
【００５９】
ウェル６は複数のウェル６を含んでもよい。
【００６０】
検出プレート１０は複数のウェル６を連結する流路７をさらに備えてもよい。底面６Ａは流路７の底面７Ａより低くてもよい。
【００６１】
トラック領域５は複数のトラック領域５を含んでもよい。ウェル６は複数のウェル６を含んでもよい。複数のトラック領域５のぞれぞれと複数のウェル６のそれぞれは複数の検出領域２をそれぞれ構成し、複数の検出領域２は走査方向（円周方向１０Ａ）に沿って配置されていてもよい。
【００６２】
底面６Ａには溝５０６が設けられていてもよい。
【００６３】
トラック溝５０５は、螺旋形状または同心円形状の溝の少なくとも一部であってもよい。
【００６４】
なお、実施の形態では、検出プレート１０は円盤形状を有する。しかし、検出プレート１０の形状は円盤形状に限られるものではない。検出プレート１０は、例えば、略多角形であっても、楕円形であってもよい。また、検出プレート１０の走査方向は、検出プレート１０の形状によって異なる。したがって、検出プレート１０の走査方向および走査光学系は、検出プレート１０の形状および、検出装置の仕様により、決定される。実施の形態における検出プレート１０は円盤形状を有するので、走査方向は検出プレート１０の円周方向１０Ａであり、これにより検出装置は光ピックアップ装置と同様の構成とすることが可能となる。
【産業上の利用可能性】
【００６５】
本発明における検出プレートは、簡単な構成の検出装置でより高精度に被検体を検出することができる。
【符号の説明】
【００６６】
１    注入口
２    検出領域
４    孔
５    トラック領域
５Ａ    底面（第１の底面）
６    ウェル
６Ａ    底面（第２の底面）
７    流路
９    カバー層
１０    検出プレート
１０Ａ    円周方向（走査方向）
１１    突起部
５０５    トラック溝
６０１    光
【図１】
2015029375.tif 000003
【図２】
2015029375.tif 000004
【図３】
2015029375.tif 000005
【図４】
2015029375.tif 000006
【図５Ａ】
2015029375.tif 000007
【図５Ｂ】
2015029375.tif 000008
【図６】
2015029375.tif 000009
【図７】
2015029375.tif 000010
【図８Ａ】
2015029375.tif 000011
【図８Ｂ】
2015029375.tif 000012
【図８Ｃ】
2015029375.tif 000013
【図９Ａ】
2015029375.tif 000014
【図９Ｂ】
2015029375.tif 000015
【図９Ｃ】
2015029375.tif 000016
【図９Ｄ】
2015029375.tif 000017
【図９Ｅ】
2015029375.tif 000018
【図９Ｆ】
2015029375.tif 000019
【図９Ｇ】
2015029375.tif 000020
【図１０】
2015029375.tif 000021
【手続補正書】
【提出日】平成28年1月27日(2016.1.27)
【手続補正１】
【補正対象書類名】明細書
【補正対象項目名】００１５
【補正方法】変更
【補正の内容】
【００１５】
実施の形態における検出プレート１０では、底面５Ａ、６Ａが実質的に同一平面上に位置することで、底面５Ａ、６Ａにおける光６０１の強度とスポット径をそれぞれ一定の範囲に保ったまま、トラッキングの制御と被検体５０２の検出を単一波長の光学系で行うことができる。したがって、検出プレート１０を用いることにより単一波長の光学系で被検体を迅速かつ高精度に検出することができる。
【国際調査報告】
2015029375.tif 000022
2015029375.tif 000023
2015029375.tif 000024
2015029375.tif 000025